(57)【要約】【課題】より小型化が可能で、弾性接触バネ部に十分な変位量と、安定した接触圧を持たせることができるＦＰＣコネクタの提供。【解決手段】コンタクト１３には、ハウジング１０内のコンタクト保持溝１８内に圧入される平板上の支持部２０と、そのハウジング背面側の端部を延長した配置に一体に備えた基板接続用端子部２１と、支持部２０のハウジング内側端部をＵ字形に折り返して一体に形成した弾性接触バネ部２２と、そのハウジング背面側端部に一体に形成したカム従動片部２３とを備え、コンタクト１３の弾性接触バネ部２２の上側面にＦＰＣ１２に対する接点２４が一体に突設され、カム従動片部２３下にカム部材２５が挿通され、弾性接触バネ部２２は、常態ではＦＰＣ挿入用凹部１１内から退避した状態にあり、カム部材２５の回動によってカム従動片部２３が押されることによって、ＦＰＣ挿入用凹部１１内側に変位されるようにした。【選択図】図１
2010055774.tif 000002
【特許請求の範囲】
【請求項１】
ＦＰＣのコネクタ接続端部が挿入されるＦＰＣ挿入用凹部を有するハウジングと、該ハウジング内に、前記ＦＰＣの挿入方向と直行する向きに多数並べて設置され、基板に半田付けされる基板接続用端子部及び前記ＦＰＣ挿入用凹部内に弾性的に突出される弾性接触バネ部とを一体に有するコンタクトと、前記各弾性接触バネ部を同時に前記ＦＰＣ挿入用凹部内へ押し出し動作させるカム部材と、該カム部材を往復回動動作させる回動操作部材とを備えてなるＦＰＣコネクタにおいて、
前記コンタクトには、ハウジング内のコンタクト保持溝内に圧入される平板上の支持部と、該支持部のハウジング背面側の端部を延長した配置に一体に備えた基板接続用端子部と、該支持部のハウジング内側端部をＵ字形に折り返して一体に形成した弾性接触バネ部と、該弾性接触バネ部のハウジング背面側端部に一体に形成したカム従動片部とを備え、
該コンタクトの前記弾性接触バネ部の前記Ｕ字形の外側面にＦＰＣに対する接点が一体に突設され、
前記カム従動片部の前記Ｕ字形の内側に前記カム部材が挿通され、
前記弾性接触バネ部は、常態では前記ＦＰＣ挿入用凹部内から退避した状態にあり、カム部材の回動によってカム従動片部が押されることによって、ＦＰＣ挿入用凹部内側に変位し、前記接点がＦＰＣに圧接されるようにしたことを特徴としてなるＦＰＣコネクタ。
【請求項２】
前記コンタクトは、バネ板材を折り曲げで形成されているものである請求項１に記載のＦＰＣコネクタ。
【請求項３】
前記ハウジングは、絶縁性樹脂によりモールド成型されたハウジング本体と、該ハウジング本体の上面を構成する導電性金属板材からなる金属性天板とをもって構成され、該金属性天板によりＦＰＣ挿入用凹部の上側内面を構成し、前記ハウジング本体に前記ＦＰＣ挿入用凹部の前記上側内面を除く内面を構成させ、前記ＦＰＣ挿入用凹部の下側内面に、前記各コンタクトの弾性接触バネ部が収容される弾性接触バネ部収容溝が連通開口されている請求項１又は２の何れかに記載のＦＰＣコネクタ。
【請求項４】
金属製天板は、その両側端部が前記ハウジング本体の側面外に沿って該ハウジングの両側端部底面側に折り曲げられ、基板のパターン端子部に半田付けされるアース端子を一体に備えてなる請求項３に記載のＦＰＣコネクタ。
【発明の詳細な説明】
【技術分野】
【０００１】
本発明は、ＦＰＣ（フレキシブルプリント基板）との電気的な接続に使用するコネクタであって、コネクタに対するＦＰＣ挿入時に、コンタクトからの接触圧を受けないＺＩＦ（ゼロインフォース）機構を具備したＦＰＣコネクタに関する。
【背景技術】
【０００２】
従来のＺＩＦ機構を具備したＦＰＣコネクタとしては、図８に示すように前面にＦＰＣ挿入用凹部２を開口させたハウジング１内に、ＦＰＣ挿入用凹部２内に突出させた弾性接触バネ部３ａを一体に有する多数のコンタクト３と、前記弾性接触バネ部３ａを同時に動作させるカム部材４とを組み込んでおき、回動操作部材５を引き起こし方向に動作させることによってカム部材４を回動させ、これによって弾性接触バネ部３ａをＦＰＣ挿入用凹部２内から退避させる方向に変位させ、この状態でＦＰＣ６をＦＰＣ挿入用凹部２に挿入することによってコンタクトからの接触圧即ち弾性接触バネ部３ａからの接触圧を受けずにＦＰＣ６の挿入がなされ、その挿入後に回動操作部材５を元に戻すことによって弾性接触バネ部３ａに備えた接点が、弾性接触バネ部３ａの弾性によってＦＰＣ６に圧接されるようにしたものが知られている（例えば特許文献１及び２）。
【０００３】
また、この他、図９に示すように前記弾性接触バネ部３ａは、常態ではＦＰＣ用挿入凹部２から退避した状態にあり、この状態でＦＰＣ６を挿入した後、回動操作部材５によってカム部材４を回動させて弾性接触バネ部３ａをＦＰＣ挿入用凹部内２に押し出し、その押し出し時の弾性接触バネ部３ａの弾性力によってＰＰＣａにとの接触圧を得るようにしたものも知られている（例えば特許文献３及び４）。
【特許文献１】特開２００３−２１７７１８号公報
【特許文献２】特開２００６−１７９２６７号公報
【特許文献３】特開２００２−９３５０４号公報
【特許文献４】特開２００８−５３２４６号公報
【発明の開示】
【発明が解決しようとする課題】
【０００４】
上述した従来のＦＰＣコネクタにあっては、何れも片持ち式の接触バネが使用されていたため、ＺＩＦ機構に必要な弾性接触バネ部の変位量と、ＦＰＣに対する必要十分な接触圧を得るためには、その形状が大きくならざるを得ないものであった。
【０００５】
本発明は、このような従来の問題に鑑み、より小型化が可能で、弾性接触バネ部に十分な変位量と、接触圧を持たせることができるＦＰＣコネクタの提供を目的としてなされたものである。
【課題を解決するための手段】
【０００６】
上述の如き従来の問題を解決し、所期の目的を達成するための請求項１に記載の発明の特徴は、ＦＰＣのコネクタ接続端部が挿入されるＦＰＣ挿入用凹部を有するハウジングと、該ハウジング内に、前記ＦＰＣの挿入方向と直行する向きに多数並べて設置され、基板に半田付けされる基板接続用端子部及び前記ＦＰＣ挿入用凹部内に弾性的に突出される弾性接触バネ部とを一体に有するコンタクトと、前記各弾性接触バネ部を同時に前記ＦＰＣ挿入用凹部内へ押し出し動作させるカム部材と、該カム部材を往復回動動作させる回動操作部材とを備えてなるＦＰＣコネクタにおいて、前記コンタクトには、ハウジング内のコンタクト保持溝内に圧入される平板上の支持部と、該支持部のハウジング背面側の端部を延長した配置に一体に備えた基板接続用端子部と、該支持部のハウジング内側端部をＵ字形に折り返して一体に形成した弾性接触バネ部と、該弾性接触バネ部のハウジング背面側端部に一体に形成したカム従動片部とを備え、該コンタクトの前記弾性接触バネ部の前記Ｕ字形の外側面にＦＰＣに対する接点が一体に突設され、前記カム従動片部の前記Ｕ字形の内側に前記カム部材が挿通され、前記弾性接触バネ部は、常態では前記ＦＰＣ挿入用凹部内から退避した状態にあり、カム部材の回動によってカム従動片部が押されることによって、ＦＰＣ挿入用凹部内側に変位し、前記接点がＦＰＣに圧接されるようにしたことにある。
【０００７】
請求項２に記載の発明の特徴は、請求項１の構成に加え、前記コンタクトは、バネ板材を折り曲げで形成されているものであることにある。
【０００８】
請求項３に記載の発明の特徴は、請求項１又は２の何れかの請求項の構成に加え、前記ハウジングは、絶縁性樹脂によりモールド成型されたハウジング本体と、該ハウジング本体の上面を構成する導電性金属板材からなる金属性天板とをもって構成され、該金属性天板によりＦＰＣ挿入用凹部の上側内面を構成し、前記ハウジング本体に前記ＦＰＣ挿入用凹部の下側内面及び両側部内面を構成させ、前記下側内面下に、前記各コンタクトの弾性接触バネ部収容溝が連通開口されていることにある。
【０００９】
請求項４に記載の発明の特徴は、請求項３の構成に加え、金属製天板は、その両側端部が前記ハウジング本体の側面外に沿って該ハウジングの両側端部底面側に折り曲げられ、基板のパターン端子部に半田付けされるアース端子を一体に備えたことにある。
【発明の効果】
【００１０】
本発明に係るＦＰＣコネクタは、ＦＰＣのコネクタ接続端部が挿入されるＦＰＣ挿入用凹部を有するハウジングと、該ハウジング内に、前記ＦＰＣの挿入方向と直行する向きに多数並べて設置され、基板に半田付けされる基板接続用端子部及び前記ＦＰＣ挿入用凹部内に弾性的に突出される弾性接触バネ部とを一体に有するコンタクトと、前記各弾性接触バネ部を同時に前記ＦＰＣ挿入用凹部内へ押し出し動作させるカム部材と、該カム部材を往復回動動作させる回動操作部材とを備えてなるＦＰＣコネクタにあって、前記コンタクトには、ハウジング内のコンタクト保持溝内に圧入される平板上の支持部と、該支持部のハウジング背面側の端部を延長した配置に一体に備えた基板接続用端子部と、該支持部のハウジング内側端部をＵ字形に折り返して一体に形成した弾性接触バネ部と、該弾性接触バネ部のハウジング背面側端部に一体に形成したカム従動片部とを備え、該コンタクトの前記弾性接触バネ部の前記Ｕ字形の外側面にＦＰＣに対する接点が一体に突設され、前記弾性接触バネ部は、常態では前記ＦＰＣ挿入用凹部内から退避した状態にあり、カム部材の回動によってカム従動片部が押されることによって、ＦＰＣ挿入用凹部内側に変位し、前記接点がＦＰＣに圧接されるようにしたことにより、弾性接触バネ部は従来のように片持ち式ではなく、一端側が支持部に支持された状態で、他端側をカム部材によって強制的に動作させる、両端支持状態によって接点をＦＰＣに対して弾性接触させることとなり、接点の変位量を必要かつ十分にとることができ、また、弾性接触バネ部を含むコンタクトに金属板材を使用した場合であっても安定した接触圧を得ることができて、コンタクトの全高を小さいものとでき、コネクタをより小型化できる。
【００１１】
また、記ハウジングは、絶縁性樹脂によりモールド成型されたハウジング本体と、該ハウジング本体の上面を構成する導電性金属板材からなる金属性天板とをもって構成し、該金属性天板によりＦＰＣ挿入用凹部の上側内面を構成し、前記ハウジング本体に前記ＦＰＣ挿入用凹部の前記上側内面を除く内面を構成させ、前記ＦＰＣ挿入用凹部の下側内面に、前記各コンタクトの弾性接触バネ部が収容される弾性接触バネ部収容溝が連通開口させることにより、ハウジング全体を薄くしても十分な曲げ耐力を得ることができ、コネクタ全体の薄型化が可能となる。
【００１２】
更に、金属製天板は、その両側端部が前記ハウジング本体の側面外に沿って該ハウジングの両側端部底面側に折り曲げられ、基板のパターン端子部に半田付けされるアース端子を一体に備えることにより、金属製天板をシールド金具と兼用させることなるとともに、基板に対する固定が、コンタクトと天板の各端子部をパターンに半田付けすることによってなされるため、安定した固定状態が得られる。
【発明を実施するための最良の形態】
【００１３】
次に、本発明に係るＦＰＣコネクタを実施するための最良の形態を、図１〜図７に示す実施例を参照して詳細に説明する。
図において符号１０はハウジングである。このハウジングは前面に細長溝状のＦＰＣ挿入用凹部１１が形成されている。このＦＰＣ挿入用凹部１１は、挿入しようとするＦＰＣ１２の接続端子構成部１２ａの幅と同じ長さに形成されている。また、ハウジング１０には、ＦＰＣ挿入方向と直行する方向に所定の間隔を隔てて所要数のコンタクト１３が、ハウジング１０の背面側から挿入されている。
ハウジング１０は、絶縁性樹脂によりモールド成型されたハウジング本体１５と、該ハウジング本体１５の上面を構成する導電性金属板材からなる金属性天板１６とをもって構成され、該金属性天板１６によりＦＰＣ挿入用凹部１１の上側内面を構成し、ハウジング本体１５にＦＰＣ挿入用凹部１１の上側内面を除く内面、即ち下側内面、両側部内面および奥部突き当り内面を構成させ、その下側内面に、弾性接触バネ部収容溝１７が連通開口されている。
この弾性接触バネ部収容溝１７は、後端がハウジング本体１５の背面に開放されており、該弾性接触バネ部収容溝１７の底部に、該溝より幅広のコンタクト保持溝１８が連続して形成され、この両溝１７，１８内に、ハウジング１０の背面側からコンタクト１３を挿入している。
コンタクト１３は、図１〜図３に示すように、ハウジング本体１５のコンタクト保持溝１８内に圧入される平板上の支持部２０と、該支持部２０のハウジング背面側の端部を延長した配置に一体に備えた基板接続用端子部２１と、支持部２０のハウジング内側端部をＵ字形に折り返して一体に形成した弾性接触バネ部２２と、該弾性接触バネ部２２のハウジング背面側端部に一体に形成したカム従動片部２３とを備えている。
このコンタクト１３の弾性接触バネ部２２には、その上面の中央部分に、幅方向に稜線を持つ山形の接点２４が一体に形成されている。また、カム従動片部２３は、弾性接触バネ部２２の先端より上側に盛り上がる形状に湾曲されており、下面が略台形となる形状に折り曲げ形成されている。
このコンタクト１３は、支持部２０をコンタクト保持溝１８内に圧入することによりハウジング本体１５に対して抜け止めされ、この状態で弾性接触バネ部２２が弾性接触バネ部収容溝１７内にて上下に変位可能に挿入されている。
また、弾性接触バネ部２２は、常態では図１に示すように、弾性接触バネ部収容溝１７内に退避した位置にあり、接点２４と天板１６との間隔が、ＦＰＣ１２の厚さより大きくなるようになっている。
カム従動片部２３とその下の支持部２０との間、即ち前記Ｕ字状の内側に弾性接触バネ部２２を変位させるためのカム部材２５が介在されている。
カム部材２０は、互いに直交する配置に長径部と短径部とを有する前後両縁を円形に形成した扁平棒状に形成され、図２に示すように長径部側を縦向きにすることにより、カム従動片部２３を押し上げ、弾性接触バネ部２２がＦＰＣ挿入用凹部１１内に引き上げられ、接点２４と天板１６の下面との間にＦＰＣ１２が挟持されるようになっている。
また図１に示すようにカム部材２５の長径部を横向きにすることによってカム従動片部２３は、弾性接触バネ部２２とともにその戻り力によって下側に移動し、ＦＰＣ１２の挟持が解除されるようになっている。
カム部材２５は、両端に回動操作部材２６が一体に備えられている。この回動操作部材２６は、カム部材２５の両端にこれと直行する配置に一体に形成された回動アーム２６ａ，２６ａと、この回動アームの先端間に跨って一体に形成された角棒状の操作棹２６ｂとから構成されている。回動アーム２６ａ，２６ａの外側面には支軸２６ｃ，２６ｃ（図４に示す）が突設され、これがハウジング本体１５の両端部背面に突設した側壁１５ａ，１５ａに形成した軸受け孔に回動可能に嵌合されることによってカム部材２５がハウジング本体１５から抜け出し不能に組み込まれている。
金属製天板１６は、図５、図６に示すように、その両側端部が前記ハウジング本体の側面外に沿って該ハウジングの両側端部底面側に折り曲げられ、図７に示す基板３０のパターン３１に半田付けされるアース端子１６ａを一体に備えている。また、金属製天板１６は、長さ方向に向けた浅い樋状に湾曲されて長さ方向の曲げ耐力を大きくしており、またそのハウジング前面側縁部下面は上向きに開いたＦＰＣ導入部１６ｃとなっている。
次に、上述したＦＰＣコネクタの操作について説明する。
先ず、ＦＰＣコネクタ全体は、図１、図２に示すように各コンタクト１３の基板接続用端子部２１、及び金属製天板１６のアース端子１６ａをそれぞれ基板３０の所定のパターン端子部３１，３２に半田付けすることによって、基板３０にプリント配線された回路に電気接続される。
ＦＰＣ１２の挿入に際しては、図１に示すようにＺＩＦ機構を構成している回動操作部材２６をハウジング１０の上面側に立てる側に回動させる。これによってカム部材２５は長径側が横向きとなるように回動される。このカム部材の動作によってコンタクト１３のカム従動片部２３に対する押上げ力が解除され、弾性接触バネ部２２は、自らの戻り力によって弾性接触バネ部収容溝１７内に入り込み、接点２４は、天板１６の下面から遠ざかる側に動作される。これによってＦＰＣ１２挿入抵抗がない状態でＦＰＣ挿入用凹部１１内に挿入できる状態となる。
この状態でＦＰＣ１２をＦＰＣ挿入用凹部１１内に挿入し、図２に示すように、回動操作部材２６をハウジング背面側に倒す側に回動させると、カム部材２５は長径方向が立て向きとなるように回動され、これらよってカム従動片部２３が押し上げられる。この動作によって弾性接触バネ部２２は、コンタクトの支持部２０の先端との連続部分を中心にしてカム従動片部２３側、即ちハウジング背面側端部側が上向きに変位され、接点２４が押し上げられ、ＦＰＣ１２の下面の端子（図示せず）に圧接される。
このとき弾性接触バネ部２２は、両端が支持された状態でその中央部分にある接点２４が、ＦＰＣ１２に圧接されることとなる。このように弾性接触バネ部２２は、ＦＰＣ１２に対する接点２４の圧接時に、その両端が支持された状態となるとともに、カム部材２５による押し上げ動作によって接点２４を圧接させるようにしたことにより、接点の変位量を必要かつ十分にとることができ、また、弾性接触バネ部２２を含むコンタクトに金属板材を使用した場合であって安定した接触圧を得ることができ、しかもコンタクトの全高を小さいものとでき、コネクタをより小型化できる。
【図面の簡単な説明】
【００１４】
【図１】本発明に係るＦＰＣコネクタの一実施例を示すもので、弾性接触バネ部をＦＰＣ挿入用凹部内から退避させた状態を示す縦断面図である。
【図２】図１に示すＦＰＣコネクタにおけるＦＰＣの接続状態を示す縦断面図である。
【図３】同上のコンタクトを示す平面図である。
【図４】図１に示すＦＰＣコネクタの全体を示す平面図である。
【図５】同正面図である。
【図６】同底面図である。
【図７】基板のパターン端子の配置を示す平面図である。
【図８】従来のＺＩＦ機構付ＦＰＣコネクタの一例を示す縦断面図である。
【図９】従来のＺＩＦ機構付ＦＰＣコネクタの他の例を示す縦断面図である。
【符号の説明】
【００１５】
１０  ハウジング
１１  ＦＰＣ挿入用凹部
１２  ＦＰＣ
１２ａ  ＦＰＣの接続端子構成部
１３  コンタクト
１５  ハウジング本体
１６  金属性天板
１６ａ  アース端子
１６ｂ  ＦＰＣ導入部
１８  コンタクト保持溝
２０  支持部
２１  基板接続用端子部
２２  弾性接触バネ部
２３  カム従動片部
２４  接点
２５  カム部材
２６  回動操作部材
２６ａ  回動アーム
２６ｂ  操作棹
２６ｃ  支軸
２７  軸受け孔
３０  基板
３１，３２  パターン端子部
【図１】
2010055774.tif 000003
【図２】
2010055774.tif 000004
【図３】
2010055774.tif 000005
【図４】
2010055774.tif 000006
【図５】
2010055774.tif 000007
【図６】
2010055774.tif 000008
【図７】
2010055774.tif 000009
【図８】
2010055774.tif 000010
【図９】
2010055774.tif 000011